(57)【要約】【課題】安全性を向上できるヘルメットを提供する。【解決手段】ヘルメット１０は、ベース１２、前カバー１４、後カバー１６、頭頂カバー２０を備え、使用状態から保管状態へと折り畳むことが可能となっている。ベース１２は、着用者の頭部の側部全周を覆う環状に形成されている。前カバー１４と後カバー１６は、ベース１２の内側に配置され、支軸５０を中心にベース１２に対して回転自在に支持される。頭頂カバー２０は、ベース１２の外側に配置され支軸５０とは別の支軸を中心にベース１２に対して回転自在に支持される。【選択図】図１
2020002480.tif 000002
【特許請求の範囲】
【請求項１】
使用状態から保管状態へと折り畳み可能なヘルメットにおいて、
前頭部、左右の側頭部、及び、後頭部を覆う環状殻部材と、
頭頂部を覆う頭頂保護部を有し、前記環状殻部材の外側に配置されて左右の側頭部近傍に設けられた第１回転軸を中心に回動自在に設けられ、前記保管状態では前記頭頂保護部が前頭部近傍に位置し、前記使用状態では前記頭頂保護部が頭頂部近傍に位置するように回動される頭頂殻部材と、
頭頂部と前頭部との間の前側頭頂部を覆う前側頭頂保護部を有し、前記環状殻部材の内側に配置されて左右の側頭部近傍に設けられた第２回転軸を中心に回動自在に設けられ、前記保管状態では前記前側頭頂保護部が前頭部近傍に位置し、前記使用状態では前記前側頭頂保護部が前側頭頂部近傍に位置するように回動される前側頭頂殻部材と、
頭頂部と後頭部との間の後側頭頂部を覆う後側頭頂保護部を有し、前記環状殻部材の内側に配置されて前記第２回転軸を中心に回動自在に設けられ、前記保管状態では前記後側頭頂保護部が後頭部近傍に位置し、前記使用状態では前記後側頭頂保護部が後側頭頂部近傍に位置するように回動される後側頭頂殻部材と、
を備えたことを特徴とするヘルメット。
【発明の詳細な説明】
【技術分野】
【０００１】
本発明は、折り畳み式のヘルメットに関するものである。
【背景技術】
【０００２】
ヘルメットは保管時に嵩張るといった問題があるため、折り畳み式とすることで保管時の省スペース化を可能としたものが開発されている。例えば、下記特許文献１には、着用者の頭部の側部全周を覆う環状殻部材に対して、着用者の頭部の上部を覆うドーム状殻部材を回転自在に設け、保管時にはドーム状殻部材を１８０度回転させて環状殻部材の内側に収納するようにしたヘルメットが記載されている。
【先行技術文献】
【特許文献】
【０００３】
【特許文献１】特許第５９０８９２９号公報
【発明の概要】
【発明が解決しようとする課題】
【０００４】
しかしながら、上記特許文献１記載のヘルメットは、頭部の上部に衝撃などが加えられた場合に、ドーム状殻部材を回転自在に支持している回転軸に力が集中してしまい、回転軸が破損するおそれがあり、安全性が十分とは言い難いといった問題があった。
【０００５】
本発明は、上記課題を鑑みてなされたものであり、安全性を向上できるヘルメットを提供することを目的としている。
【課題を解決するための手段】
【０００６】
上記目的を達成するために、本発明のヘルメットは、
使用状態から保管状態へと折り畳み可能なヘルメットにおいて、
前頭部、左右の側頭部、及び、後頭部を覆う環状殻部材と、
頭頂部を覆う頭頂保護部を有し、前記環状殻部材の外側に配置されて左右の側頭部近傍に設けられた第１回転軸を中心に回動自在に設けられ、前記保管状態では前記頭頂保護部が前頭部近傍に位置し、前記使用状態では前記頭頂保護部が頭頂部近傍に位置するように回動される頭頂殻部材と、
頭頂部と前頭部との間の前側頭頂部を覆う前側頭頂保護部を有し、前記環状殻部材の内側に配置されて左右の側頭部近傍に設けられた第２回転軸を中心に回動自在に設けられ、前記保管状態では前記前側頭頂保護部が前頭部近傍に位置し、前記使用状態では前記前側頭頂保護部が前側頭頂部近傍に位置するように回動される前側頭頂殻部材と、
頭頂部と後頭部との間の後側頭頂部を覆う後側頭頂保護部を有し、前記環状殻部材の内側に配置されて前記第２回転軸を中心に回動自在に設けられ、前記保管状態では前記後側頭頂保護部が後頭部近傍に位置し、前記使用状態では前記後側頭頂保護部が後側頭頂部近傍に位置するように回動される後側頭頂殻部材と、
を備えたことを特徴としている。
【発明の効果】
【０００７】
本発明によれば、第１回転軸を中心に回転する頭頂殻部材と、第２回転軸を中心に回転する前側頭頂殻部材及び後側頭頂殻部材とにより頭部の上部を保護するようにしたので、頭部の上部に衝撃などが加えられた場合に、第１回転軸と第２回転軸とに力が分散されて第１、第２回転軸の破損を防止可能であり、安全性を向上できる。
【図面の簡単な説明】
【０００８】
【図１】使用状態のヘルメットを示す外観図である。
【図２】保管状態のヘルメットを示す外観図である。
【図３】使用状態におけるベース、前カバー、後カバーの関係を示す分解図である。
【図４】使用状態におけるベース、頭頂カバーの関係を示す分解図である。
【図５】頭頂カバーの支軸と軸穴との関係を示す説明図である。
【発明を実施するための形態】
【０００９】
図１、図２において、本発明のヘルメット１０は、図１に示す使用状態から図２に示す保管状態へと折り畳むことが可能な折り畳み式のヘルメットである。
ヘルメット１０は、前後の長さが３０６．９ｍｍ、幅（左右の長さ）が２４２．９ｍｍ、すなわち、Ａ４サイズの用紙を収納するＡ４ファイルのサイズと同等のサイズに形成されている。これにより、Ａ４ファイルを収納する収納具（机の引き出しや本棚など）に収納して保管することができる。なお、ヘルメット１０の高さ（上下の長さ）は、使用状態においては約１５８ｍｍ、保管状態においては約１２０ｍｍとなっており、保管状態へと折り畳むことで、より小さな保管スペースで保管できる。
【００１０】
ヘルメット１０は、ベース１２（環状殻部材）、前カバー１４（前側頭頂殻部材）、後カバー１６（後側頭頂殻部材）、頭頂カバー２０（頭頂殻部材）を備えており、これらは、例えば、プラスチックなどの樹脂から形成されている。なお、ヘルメット１０は、前カバー１４、後カバー１６、頭頂カバー２０の内側部分に衝撃を吸収、緩和するためのクッションパッドが装着されているが、図面を簡略化するためにクッションパッドについては図示を省略している。
【００１１】
使用状態のヘルメット１０を分解した分解図である図３、図４において、ベース１２は、着用者の頭部の側部全周を覆う環状に形成され、着用者の後頭部に対応する部位にフック用開口１２ａが形成されている。そして、ヘルメット１０は、前述のようにＡ４ファイルと同様に机の引き出しなどで保管できる他、壁面などに設けられたフックなどの突起物にフック用開口１２ａを掛けて保管することも可能となっている。
また、ベース１２には、着用者の左右の側頭部（耳の上方）に対応する部位に、前後のカバー１４、１６を装着するための軸穴３０が形成され、着用者の左右の側頭部（こめかみ部分）に対応する部位に、頭頂カバー２０を装着するための軸穴４０が形成されている。
【００１２】
図３に示すように、前後のカバー１４、１６は、着用者の左右の側廊部を繋ぐ円弧状に形成され（左右方向で切断した場合の断面が円弧状に形成され）ており、前カバー１４の左右方向両端部には、軸受１４ａが形成され、後カバー１６の左右方向両端部には、軸受１６ａが形成されている。軸受１４ａ、１６ａは、ともに円筒形状であり、軸受１４ａは、軸受１６ａよりも一回り小さく形成されて軸受１６ａの内側に配置される。これにより、前カバー１４と後カバー１６とが係合される。
【００１３】
前カバー１４と後カバー１６とは、このように係合された状態で、軸受１４ａ、１６ａ、及び、軸穴３０の中心軸が一致するように、ベース１２の内側に配置される。そして、これら（軸穴３０、及び、軸受１４ａ、１６ａ）を貫通するように支軸５０（第２回転軸）が挿通されることにより、前カバー１４及び後カバー１６が、支軸５０を中心にベース１２に対して回転自在に支持される。
【００１４】
前カバー１４の左右方向の中央部分は、着用者の前側頭頂部（額（前頭部）と頭頂部との間の部位）を覆うための前側保護部１４ｂ（前側頭頂保護部）となっており、左右方向の端部よりも幅が広く（前後方向の長さが長く）形成されている。そして、前側保護部１４ｂは、使用状態では着用者の前側頭頂部の近傍に位置し（図１参照）、保管状態では着用者の額の近傍に位置する（図２参照）。
また、前カバー１４の左右方向の中央部分には、係止穴１４ｃが設けられている。前カバー１４は、使用状態においては、この係止穴１４ｃに、後述する頭頂カバー２０の係止爪２０ｃが係合されることにより回転が規制される。
【００１５】
また、後カバー１６の左右方向の中央部分は、着用者の後側頭頂部（後頭部と頭頂部との間の部位）を覆うための後側保護部１６ｂ（後側頭頂保護部）となっており、左右方向の端部よりも幅が広く（前後方向の長さが長く）形成されている。そして、後側保護部１６ｂは、使用状態では着用者の後側頭頂部の近傍に位置し（図１参照）、保管状態では着用者の後頭部の近傍に位置する（図２参照）。
また、後カバー１６の左右方向の中央部分には、係止穴１６ｃが設けられている。後カバー１６は、使用状態においては、この係止穴１６ｃに、後述する頭頂カバー２０の係止爪２０ｄが係合されることにより回転が規制される。
さらに、後カバー１６の左右方向の両側部には、段差１６ｅが形成されており、前カバー１４と後カバー１６とが保管状態から使用状態へと回動された際に、段差１６ｅが前カバー１４の側縁部と当接し、前カバー１４と後カバー１６とのなす角が一定角度以下となることが防止されている。
【００１６】
図４に示すように、頭頂カバー２０は、上述した前後のカバー１４、１６と同様に、着用者の左右の側廊部を繋ぐ円弧状に形成されている。一方、頭頂カバー２０は、前後のカバー１４、１６とは異なり、ベース１２の外側に配置される。
このように、頭頂カバー２０は、ベース１２の外側に配置されるので、ベース１２の内側に配置する構成と比較して、形状や厚みの自由度が向上し、より強度を向上させるために、形状を変更したり、補強用のリブを設けたり、厚みを厚くするなどが可能となる。特に、頭頂カバー２０は、着用者の頭部の中でも重点的に保護すべき部位を保護する機能を有しているため、前述のように形状や厚みの自由度が向上可能な効果がより顕著となる。
【００１７】
頭頂カバー２０には、左右方向両端部の内側に、ベース１２側へ向けて支軸６０（第１回転軸）が立設されており、頭頂カバー２０は、支軸６０が軸穴４０に挿通されることにより、支軸６０を中心にベース１２に対して回転自在に支持される。なお、頭頂カバー２０は、支軸６０が軸穴４０に挿通された後、支軸６０よりも断面（支軸６０と垂直な方向の断面）が一回り大きく形成された脱落防止部材６２が、ヘルメット１０の内側から支軸６０の先端部に装着されることにより、軸穴４０（ベース１２）からの脱落が防止される。
【００１８】
頭頂カバー２０の左右方向の中央部分は、着用者の頭頂部を覆うための頭頂保護部２０ｂとなっており、左右方向の端部よりも幅が広く（前後方向の長さが長く）形成されている。そして、頭頂保護部２０ｂは、使用状態では着用者の頭頂部の近傍に位置し（図１参照）、保管状態では着用者の額（前頭部）の近傍に位置する（図２参照）。
なお、頭頂カバー２０の左右方向中央部には、前述のように、使用状態において前カバー１４の係止穴１４ｃと係合することで前カバー１４の回動を規制する係止爪２０ｃ、及び、使用状態において後カバー１６の係止穴１６ｃと係合することで後カバー１６の回動を規制する係止爪２０ｄが設けられている。
【００１９】
また、頭頂カバー２０は、使用状態において上下にスライド自在に設けられている。具体的には、図５（ａ）、（ｂ）、（ｃ）に示すように、軸穴４０は、ヘルメット１０を側方から観察したときに、円形の下部に上下に長い長方形を接続した形状となっており、上部の円形部分の幅（前後方向の長さ）よりも、下部の長方形部分の幅の方が狭く形成されている。
さらに、支軸６０は、断面が略長方形状に形成され、断面の短辺の長さは、軸穴４０の下部の長方形部分の幅よりも狭く（短く）、断面の長辺の長さは、軸穴４０の下部の長方形部分の幅よりも広く（長く）形成されている。
これにより、支軸６０（頭頂カバー２０）は、図５（ａ）に示す保管状態においては、軸穴４０の上部の円形部分を中心とした回転は許容されるものの、上下方向への移動は規制され、図５（ｂ）、（ｃ）に示す使用状態においては、上下方向への移動が許容される。そして、図５（ｂ）の位置から図５（ｃ）の位置まで支軸６０（頭頂カバー２０）下方に移動させることにより、支軸６０（頭頂カバー２０）の回転が規制され、頭頂カバー２０に衝撃などが加えられた場合であっても頭頂部が露呈してしまうなどの問題を防止できる。
【００２０】
以上のように、ヘルメット１０は、頭頂カバー２０、前後のカバー１４、１６を回動させて保管状態（図２参照）とすることで、保管時の高さを抑えることができる。また、保管状態から頭頂カバー２０、前後のカバー１４、１６を回動させて使用状態（図１参照）とすることで、一般的なヘルメットと同様に着用者の頭部を保護できる。このとき、頭頂カバー２０と前後のカバー１４、１６との３つの部材により頭部を保護するのでより確実に頭部を保護できる。また、前後のカバー１４、１６を支持する回転軸（支軸３０）とは別の回転軸（支軸４０）で頭頂カバー２０を支持することで、頭部に衝撃などが加えられた場合に２つの回転軸に力が分散されるようにしたので、回転軸（支軸３０、４０）の破損を防止でき、安全性を向上できる。さらに、使用状態において、頭頂カバー２０を下方へスライドさせることにより、頭頂カバー２０の回転を防止できるようにしたので、意図しないタイミングで頭頂部が露呈してしまうなどの問題を防止できる。
【００２１】
また、ヘルメット１０は、前後のカバー１４、１６や頭頂カバー２０を回転させることによって使用状態と保管状態との間の移行が可能なため、分解や組み立てにより使用状態と保管状態との間の移行を行う構成と比較して、移行が容易であり、また、部品の脱落や紛失を防止できる。
【００２２】
なお、本発明は、上記実施形態に限定されず、細部の構成については適宜変更できる。例えば、上記実施形態では、頭部の上側を３つの回転する部材により保護する例で説明をしたが、２つ以下、または、４つ以上の回転する部材により頭部の上側を保護する構成としてもよい。ただし、４つ以上の回転する部材により頭部の上側を保護する場合、各部材の強度を保ちながら、使用状態において頭部の形状に適合する形状とすることは難しいので、上記実施形態のように、３つの回転する部材により頭部の上側を保護する構成とすることが好ましい。
【００２３】
また、上記実施形態では、回転する部材（前後のカバー及び頭頂カバー）をそれぞれ異なる形状としているが、これらを共通の形状としてもよい。こうすることで、これらを共通の金型を用いて製造することが可能となり、製造の手間（コスト）を軽減できる。ただし、回転する部材をそれぞれ異なる形状とすることにより、各部材の厚みや形状の自由度が向上し、また、使用状態と保管状態とにおけるヘルメットの形状などについても最適な形状とすることが可能となる。このため、回転する部材をそれぞれ異なる形状とすることが好ましい。
【符号の説明】
【００２４】
１０  ヘルメット
１２  ベース（環状殻部材）
１２ａ  フック用開口
１４  前カバー（前側頭頂殻部材）
１４ａ、１６ａ  軸受
１４ｃ、１６ｃ  係止穴
１４ｂ  前側保護部（前側頭頂保護部）
１６  後カバー（後側頭頂殻部材）
１６ｂ  後側保護部（後側頭頂保護部）
１６ｅ  段差
２０  頭頂カバー（頭頂殻部材）
２０ｂ  頭頂保護部
２０ｃ、２０ｄ  係止爪
３０、４０  軸穴
５０  支軸（第２回転軸）
６０  支軸（第１回転軸）
６２  脱落防止部材
【図１】
2020002480.tif 000003
【図２】
2020002480.tif 000004
【図３】
2020002480.tif 000005
【図４】
2020002480.tif 000006
【図５】
2020002480.tif 000007
【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
使用状態から保管状態へと折り畳み可能なヘルメットにおいて、
一体成形された一の部材からなり、前頭部、左右の側頭部、及び、後頭部を覆う環状に形成され、前記使用状態と前記保管状態とで形状が共通の環状殻部材と、
頭頂部を覆う頭頂保護部を有し、前記環状殻部材の外側に配置されて左右の側頭部近傍に設けられた第１回転軸を中心に回動自在に設けられ、前記保管状態では前記頭頂保護部が前頭部近傍に位置し、前記使用状態では前記頭頂保護部が頭頂部近傍に位置するように回動される頭頂殻部材と、
頭頂部と前頭部との間の前側頭頂部を覆う前側頭頂保護部を有し、前記環状殻部材の内側に配置されて左右の側頭部近傍に設けられた第２回転軸を中心に回動自在に設けられ、前記保管状態では前記前側頭頂保護部が前頭部近傍に位置し、前記使用状態では前記前側頭頂保護部が前側頭頂部近傍に位置するように回動される前側頭頂殻部材と、
頭頂部と後頭部との間の後側頭頂部を覆う後側頭頂保護部を有し、前記環状殻部材の内側に配置されて前記第２回転軸を中心に回動自在に設けられ、前記保管状態では前記後側頭頂保護部が後頭部近傍に位置し、前記使用状態では前記後側頭頂保護部が後側頭頂部近傍に位置するように回動される後側頭頂殻部材と、
を備え、
前記頭頂殻部材は、前記使用状態において前記第１回転軸と直交する上下方向にスライド自在に設けられ、下方にスライドさせることにより前記第１回転軸を中心とした回動が規制されて前記頭頂保護部が頭頂部近傍に保持され、上方にスライドさせることにより前記規制が解除されて前記頭頂保護部の前頭部近傍への移動が許容されることを特徴とするヘルメット。